(57)【要約】【課題】  宅配物の受け取りの際の負担の軽減を図ったエレベータを提供する。【解決手段】  建屋１に設けられた昇降路３内に配置された乗りかご８は昇降路３内を昇降する。この乗りかご８内には建屋内１の住居４、５に配達される宅配物を収納するための宅配ボックス１０が設けられている。【選択図】      図１
2007308267.tif 000002
【特許請求の範囲】
【請求項１】
建屋に設けられた昇降路内を昇降する乗りかごと、この乗りかご内に設けられ前記建屋内の所定箇所に配達される宅配物を収納するための宅配ボックスと、を備えたことを特徴とするエレベータ。
【請求項２】
前記宅配ボックス内に宅配物が収納されたのを検知する検知手段と、前記所定箇所に設置され前記宅配物の到着を報知するための報知手段と、前記宅配ボックス内に宅配物が収納されたのを前記検知手段が検知すると前記報知手段を作動させる制御手段と、を備えたことを特徴とする請求項１記載のエレベータ。
【請求項３】
前記所定箇所に設置され前記乗りかごを当該所定箇所のある階に呼び出すかご呼び手段を備えたことを特徴とする請求項２記載のエレベータ。
【請求項４】
前記建屋の入口から前記所定箇所に至る経路に設置されたカメラと、前記カメラの近傍に設置された第１のインターホンと、前記所定箇所に設置され前記カメラで撮影される画像を視認するためのモニタと、前記モニタの近傍に設置され前記第１のインターホンと通話可能な第２のインターホンとを備えたことを特徴とする請求項１記載のエレベータ。
【発明の詳細な説明】
【技術分野】
【０００１】
本発明は、宅配物の受け取りの際の負担の軽減を図ったエレベータに関する。
【背景技術】
【０００２】
例えばマンション等において、住人が不在の場合に宅配物を受け取るための宅配ボックスが設置されているのは周知の通りである。従来、この種の宅配ボックスは建屋の入口付近に設置されていた。
【０００３】
この場合、住人は宅配物を宅配ボックスの設置場所からエレベータの乗りかごまで運び、乗りかごを走行させて自宅のある階まで運ばなければならなかった。また、宅配物が重量の大きい物の場合には、運搬用の台車等を用意する必要があるので、手間がかかっていた。
【発明の開示】
【発明が解決しようとする課題】
【０００４】
本発明は上記事情に鑑みて創案されたものであり、その目的は、宅配物の受け取りの際の負担の軽減を図ったエレベータを提供することにある。
【課題を解決するための手段】
【０００５】
上記目的を達成するために、本発明に係るエレベータは、建屋に設けられた昇降路内を昇降する乗りかごと、この乗りかご内に設けられ建屋内の所定箇所に配達される宅配物を収納するための宅配ボックスと、を備えたことを特徴としている。
【発明の効果】
【０００６】
本発明によれば、宅配物の受取人が宅配物を乗りかごまで運ぶ必要が無いため、受取人の負担が軽減する。
【発明を実施するための最良の形態】
【０００７】
以下、本発明の一実施形態を図面に基づいて説明する。図１は本発明の第１の実施形態のエレベータを備えた建屋の概略構成図、図２は第１の実施形態の乗りかごの概略斜視図である。
【０００８】
図１において、１は建屋で、正面に入口２を有し、内部には上下に延びる昇降路３が設けられている。４は住居、５は住居４とは異なる階の住居であり、６は住居４がある階のホール、７は住居５がある階のホールである。
【０００９】
８はエレベータの乗りかごで、昇降路３の内部に配置され、昇降路３内を昇降する。すなわち、図示しないが、昇降路３の上部には巻上機が設置され、そのシーブにはメインロープが巻き掛けられており、その一端は乗りかご８に接続され、他端はカウンターウエイトに接続されている。
【００１０】
また、昇降路３内には乗りかご８とカウンターウエイトを上下方向に案内するガイドレールが立設されており、巻上機を駆動すると、乗りかご８がガイドレールに沿って昇降路３内を昇降する。
【００１１】
８は乗りかご８の内部に設けられた宅配ボックスユニットである。この宅配ボックスユニット９は集合住宅用のもので、乗りかご８内部の背面側に設置され、図２に示すように、上下左右にマトリックス状に配列された多数の宅配ボックス１０を有している。
【００１２】
このような宅配ボックス１０の形式としては、例えばダイヤル錠により扉の施解錠を行う機械式のものや、外部の電源を利用してマイコン等で扉の施解錠を行う電気制御式のもの等がある。
【００１３】
図示しないが、各宅配ボックス１０は、扉と、この扉を施錠するロックボタンと、伝票（受領書）に受領印を押印する押印装置と、内部の宅配物の有無を確認するための窓とを有している。
【００１４】
宅配業者は、宅配物の受取人の住居に対応する宅配ボックス１０の扉を開けて宅配物を収納し、扉を閉じてロックボタン等で施錠する。そして、伝票を押印装置にセットして受領印を押印する。
【００１５】
建屋１の住人は、乗りかご８に乗り込むと、自分の宅配ボックス１０内の宅配物の有無を確認し、宅配物が有る場合には鍵を用いて扉を開いて宅配物を取り出す。そして、扉を閉める。
【００１６】
そして、かご内操作盤（図示せず）で住居のある階を指定し、乗りかご８を自宅のある階まで走行させる。
【００１７】
従来は宅配ボックスが建屋の入口付近に設置されており、受取人が宅配物を宅配ボックスの設置場所から乗りかごまで自分で運搬する必要があった。本発明では、宅配業者が宅配物を乗りかご内まで運搬するので、特に宅配物が重量の大きいものである場合に受取人の負担が軽減すると共に怪我をする危険性が少なくなる。
【００１８】
なお、乗りかご８内の重量バランスを考慮して、宅配ボックス１０の配置を、例えば図３や図４に示すようにしてもよい。
【００１９】
すなわち、図３に示す例では、一対の横断面三角形状の宅配ボックスユニット９を乗りかご８内の側面と背面の間にまたがるように左右対称に配置してある。
【００２０】
また、図４に示す例では、一対の直方体状の宅配ボックスユニット９を乗りかご８内の側面に接すると共に互いに対向するように左右対称に配置してある。
【００２１】
次に、本発明の第２の実施形態を説明する。図５は本発明の第２の実施形態のエレベータを備えた建屋の概略構成図である。なお、以下の各実施形態において、それ以前に説明した実施形態と同一又は類似の部分には同一の符号を用いており、重複する説明は省略してある。
【００２２】
本実施形態では、各住居４、５にそれぞれ表示部１１が設置されており、この表示部１１はランプ１２を有している。また、各宅配ボックス１０には、宅配物が収納されたか否かを検知するセンサ１３が設けられている。そして、各センサ１３と各表示部１１はそれぞれエレベータ全体の制御を司る制御盤１４に接続されている。
【００２３】
宅配ボックス１０に宅配物が収納されると、それをセンサ１３が検知して制御盤１４に伝える。制御盤１４は、その宅配ボックス１０に対応した住居の表示部１１に制御信号を送信してランプ１２を点灯させる。
【００２４】
これにより、当該住居の住人は宅配物が届いたことを知ることができるので、宅配物を速やかに回収することができる。したがって、宅配ボックス１０をすぐに空にすることができるので、次の宅配物がすぐに届いたとしても支障無く受け取ることができ、宅配ボックス１０を効率良く活用することができる。
【００２５】
次に、本発明の第３の実施形態を説明する。図６は本発明の第３の実施形態のエレベータの要部の拡大図である。
【００２６】
本実施形態では、第２の実施形態で説明した表示部１１にかご呼びボタン１５が設けられている。このかご呼びボタン１５は制御盤１４（図５参照）に接続されており、押圧すると、その表示部１１を有する住居がある階に乗りかご８を呼ぶことができる。
【００２７】
これにより、住人が宅配物の到着をランプ１２の点灯で確認すると、かご呼びボタン１５を押して乗りかご８を呼ぶことで、住居に居ながら宅配物を住居のある階にまで運ぶことができる。
【００２８】
また、住人がエレベータを利用しようとする場合、住居を出る前にかご呼びボタン１５を押すことで、乗り場における待ち時間を短縮することができる。
【００２９】
次に、本発明の第４の実施形態を説明する。図７は本発明の第４の実施形態のエレベータを備えた建屋の概略構成図である。
【００３０】
本実施形態では、第３の実施形態の構成に加えて、乗りかご８内にインターホン１６とカメラ１７を設置し、各住居４、５にインターホン１８とモニタ１９を設置してある。乗りかご８内の乗客はインターホン１６、１８を通じて所望の住居の住人と通話をすることができ、その際に住人がカメラ１７で撮影された乗客の画像をモニタ１９を通じて視認することができるようになっている。
【００３１】
このような構成によれば、宅配物を宅配業者と住人との間で直接授受する必要が生じた場合（例えば代金引き換えの場合等）において、住人があらかじめ宅配業者や宅配物の様子を確認することができる。したがって、宅配業者を装った不審者等と直接接触することがなくなるため、セキュリティーが向上する。
【００３２】
なお、カメラ１７やインターホン１６の設置場所は乗りかご８内に限られるものではなく、例えば玄関やホール等、建屋１の入口２から住居４、５に至る経路に設置されていれば、他の場所であっても同様の効果を得ることができる。
【００３３】
以上、具体例を挙げて本発明の一実施形態について説明したが、本発明は上記の各実施形態に限定されるものではなく、本発明の要旨を逸脱しない範囲で上記の各実施形態に種々の改変を施すことができる。
【図面の簡単な説明】
【００３４】
【図１】本発明の第１の実施形態のエレベータを備えた建屋の概略構成図。
【図２】第１の実施形態の乗りかごの概略斜視図。
【図３】宅配ボックスの配置の変形例を示す概略斜視図。
【図４】宅配ボックスの配置の変形例を示す概略斜視図。
【図５】本発明の第２の実施形態のエレベータを備えた建屋の概略構成図。
【図６】本発明の第３の実施形態の要部の拡大図。
【図７】本発明の第４の実施形態のエレベータを備えた建屋の概略構成図。
【符号の説明】
【００３５】
１  建屋
３  昇降路
４  住居（所定箇所）
５  住居（所定箇所）
８  乗りかご
１０  宅配ボックス
１２  ランプ（報知手段）
１３  センサ（検知手段）
１４  制御盤（制御手段）
１５  かご呼びボタン（かご呼び手段）
１６  インターホン（第１のインターホン）
１７  カメラ
１８  インターホン（第２のインターホン）
１９  モニタ
【図１】
2007308267.tif 000003
【図２】
2007308267.tif 000004
【図３】
2007308267.tif 000005
【図４】
2007308267.tif 000006
【図５】
2007308267.tif 000007
【図６】
2007308267.tif 000008
【図７】
2007308267.tif 000009